(57)【特許請求の範囲】
【請求項１】
歩行路、ベランダ、テラス等の仕上床やベンチやテーブル等のスツールに仕上床として用いられる樹脂、木材製等からなるデッキ材を根太材により支持するデッキ材の下地構造において、中空閉断面をなす根太材のデッキ材固着面が平坦面となされるとともに、この根太材のデッキ材固着面と反対面に、取付ボルトの頭部が摺動可能に挿入される取付溝が長さ方向に形成され、前記取付溝は、その溝の深さの中程において相対向する内壁の一部がそれぞれ内方に突設されると共に、その突出した部分より奥側に前記取付ボルトの頭部が挿入される第一の空間部が形成され、又突出した部分より入口側に前記取付ボルトに螺入されるナットが収容される第二の空間部が形成され、第一の空間部に頭部が挿入された取付ボルトに対しナットを螺入させた際に、ナットが第二の空間部に収容されると共に、根太材の長さ方向の任意の位置で取付ボルトの係着が可能となされ、この取付ボルトを介して下地用根太材の設置がなされることを特徴とするデッキ材の根太構造。
【請求項２】
前記中空閉断面を有する根太材へのデッキ材の固着面から外周側面にかけて樹脂製異形材によって樹脂カバーが被覆されるとともに、根太材のデッキ材固着面と反対面に樹脂カバーの縁部が挿入されて止着される係止凹溝が形成され、この係止凹溝を介して根太材に前記樹脂カバーの係止がなされることを特徴とする請求項１記載のデッキ材の根太構造。
【請求項３】
土間コンクリート等の下地面にボルトより悄々大きい径および深さの埋込用下地穴が適宜間隔に設けられ、この埋込用下地穴の間隔に適合した間隔ピッチで下地用根太材の取付溝にボルトが係着されて突設され、前記埋込用下地穴に時間硬化タイプ樹脂またはモルタルコンクリートが充填され、これらの下地穴に前記根太材に係着、突設されたボルトが差し込まれて根太材が設置されることを特徴とする請求項１または２に記載のデッキ材の根太構造。
【発明の詳細な説明】
【０００１】
【発明の属する技術分野】
本発明は、遊歩道や公園施設において設置されるベンチやテーブル，八ツ橋，ボードウォークの他、競技場観覧席、或いはベランダやテラスの直張りタイプのデッキに仕上材として使用される樹脂，木材製デッキ材を根太材により支持する根太材の取り付け構造に関するものである。
【０００２】
【従来の技術】
従来、樹脂，木材製デッキ材の根太材には、図５に表すようにタッピングネジの螺入が可能な樹脂，木材製根太材９を、強度部材である鋼製等の梁材５に付設させたうえ、それに対してタッピングネジで固定をしてデッキ材２が支持される形態のものが知られている。
【０００３】
【発明が解決しようとする課題】
しかしながら、上記従来の樹脂，木材製デッキ材の取り付け構造においては、デッキ材をタッピングネジにより固着させるための根太材自体は強度的に不十分なうえ変形し易く強度材として不適切で、この根太材に沿わせた鋼製等の梁材を併せて付設させなければならず、また根太材を梁材に固定する際ボルトの頭部を突出させないために根太材にこのボルトの頭部に適合する切欠孔が必要であり、あるいは樹脂，強度材である鋼製等の梁材に対して樹脂，木材製デッキ材を直接取り付けようとすると予め梁材にナットを埋め込む等したうえで、このナットに螺入されるボルトの頭部に適合する切欠孔を所定の寸法ピッチでデッキ材に加工しておかなければならず、これらいずれの方法によっても材料および製造加工上、加工時間，加工手間，等の点でコストが高くなるという欠点を有していた。
【０００４】
また、土間コンクリート等は不陸を有して施工されているのが一般的であり、縦横に適宜間隔で下地となる金具等に組み込まれた調節ボルト類が配設されて、これに対し梁材が架設あるいは載置されたうえでこの梁材にデッキ材が取り付けられる根太材が架設される構成となされた床構造となされるのが普通であって、土間コンクリート等に対してデッキ材の下地用根太材を直接的に配設させるのは不可能とされてきた。
【０００５】
本発明はかかる従来の問題点を解決し、樹脂，木材製デッキ材を強度材である梁材に対してデッキ材を固着させるための中間材としての根太材を介さないで、デッキ材や下地用の根太材に切欠加工，ナット部の埋め込み等特別な加工を施すことなく、低材料，加工コストの工法で構成される根太材の取付構造を構成し、さらに土間コンクリート等不陸を有する下地面に対して調節ボルト類の組み込まれた金具等とこれに架設あるいは載置される梁材等下地棧の枠を組むこと無く、直接的に配設させた下地用根太材に仕上げ用のデッキ材を取り付ける施工形態によるデッキ材の根太構造を提供せんとするものである。
【０００６】
【課題を解決するための手段】
上記課題を解決するために本発明においては、歩行路、ベランダ、テラス等の仕上床やベンチやテーブル等のスツールに仕上床として用いられる樹脂、木材製等からなるデッキ材を根太材により支持するデッキ材の下地構造において、中空閉断面をなす根太材のデッキ材固着面が平坦面となされるとともに、この根太材のデッキ材固着面と反対面に、取付ボルトの頭部が摺動可能に挿入される取付溝が長さ方向に形成され、前記取付溝は、その溝の深さの中程において相対向する内壁の一部がそれぞれ内方に突設されると共に、その突出した部分より奥側に前記取付ボルトの頭部が挿入される第一の空間部が形成され、又突出した部分より入口側に前記取付ボルトに螺入されるナットが収容される第二の空間部が形成され、第一の空間部に頭部が挿入された取付ボルトに対しナットを螺入させた際に、ナットが第二の空間部に収容されると共に、根太材の長さ方向の任意の位置で取付ボルトの係着が可能となされ、この取付ボルトを介して下地用根太材の設置がなされるものである。
【０００７】
そしてまた本発明においては、この中空閉断面を有する根太材へのデッキ材の固着面から外周側面にかけて樹脂製異形材によって樹脂カバーが被覆されるとともに、根太材のデッキ材固着面と反対面に樹脂カバーの縁部が挿入されて止着される係止凹溝が形成され、この係止凹溝を介して根太材に前記樹脂カバーの係止がなされるもので、この樹脂カバーをデザインが重視される用途の場合には必要に応じてを化粧カバーとして付加し、また床の歩行振動の軽減を目的とする用途の場合には樹脂カバーとして高発泡系の合成樹脂材料やゴム系材料を適用され、用途に対応した使い方によって要求される機能，性能が発揮される。
【０００８】
さらにまた本発明においては、土間コンクリート等の下地面にボルトより悄々大きい径および深さの埋込用下地穴が適宜間隔に設けられ、この埋込用下地穴の間隔に適合した間隔ピッチで下地用根太材の取付溝に取付ボルトがナットにより係着されて突設され、これら埋込用下地穴に時間硬化タイプ樹脂またはモルタルコンクリートが充填されて、これらの下地穴に前記下地用の根太材に係着，突設されたボルトが差し込まれて下地用根太材の設置がなされ、従来工法に比較して下地工事の大幅な省力化がなされて工事費の低減がはかられる。
【０００９】
【発明の実施の形態】
以下、図面を参照しながら本発明について説明する。図１は本発明を適用した第一実施形態例の置床式デッキ２０を示す図面であって、同図（ａ），（ｂ）は建築物１階の屋根材４を構成する鋼板製折板の上に簡易に２階バルコニーが設置された状態を表している。屋根材４と置床式デッキ材とは同図（ｃ）の拡大図に表すように、下地用根太材１のデッキ材固着面と反対面１２にはボルトの頭部が摺動可能に挿入される取付溝３が形成され、取付ボルト３０に対しナット３１を螺入させた際、屋根材４を挟み込んで置床式デッキ２０の固着がなされている。また、この下地用根太材１のデッキ材固着面１１は平坦面となされデッキ材２がタッピングビスによって安定して取り付けられている。
【００１０】
ここで、下地用根太材１のデッキ材の固着面と反対面１２に取付ボルト３０の頭部が摺動可能に挿入されるため、あらかじめ取付寸法ピッチを合わせて加工しておく必要がなく鋼板製折板からなる屋根材４のピッチ寸法に応じて施工現場で簡単に寸法調節しながら置床式デッキ材の固着がなされる。
【００１１】
下地用根太材１は、鋼管を用いた引き抜き成形や鋼板をロールフォーミングで凹凸が形成され管体として溶接されたり、あるいはアルミ合金による押出成形、またはガラス繊維，炭素繊維などで強化されたポリエステル等の樹脂製の管体が好適に使用される。ここにおいて、下地用根太材１は中空閉断面を有する管体となされているため素材の反りが無く、また外力による応力に強く耐えてたわみが少ないことから構造材として機能する。さらに、下地用根太材１がアルミ合金による押出成形製や強化されたポリエステル等の樹脂製の場合、セルフタッピングビスによってデッキ材２を比較的簡単に固定できるため、下地用根太材１の固定後デッキ材２を施工現場で取り付ける際に難しい施工技術を必要とせず、また前工程でデッキ材２を固定した下地用根太材１付きの置床式デッキ２０フレームを屋根材４に施工現場で設置するのも難しい施工技術を伴うものではない。
【００１２】
なお特に、下地用根太材１としてアルミ合金の押出成形材が用いられる場合、デッキ材の固定手段として使用されるセルフタッピングビス類には、ステンレス（ＳＵＳ）４１０マルテンサイト系材料をベースとしてスズメッキされたもの等、固定部分における各異種金属が直接的に接触して雨水が介在していても電蝕による腐蝕の心配が少ない種類のものが用いられなければならない。
【００１３】
次に図２は、本発明を適用した第二実施形態例の、人工池などに架け渡された八つ橋を示す図面であり、同図（ａ），（ｂ）は池底に構築されたコンクリート基礎柱５０，５０の上部間に下地となる梁材５が架け渡されて、その梁材５上に本発明に係る下地用根太材１が架設されて歩行路となるデッキ材２の固着がなされている。そして同図（ｃ）に表すように、梁材５に対して下地用根太材１はその取付ボルト３０の頭部が摺動可能に挿入されるデッキ材固着面と反対面１２の取付溝３に取り付けられた取付ボルト３０，ナット３１により固定されている。また、この下地用根太材１の平坦面となされたデッキ材固着面１１には、デッキ材２がタッピングビスによって取り付けられている。
【００１４】
この第二実施形態例のように、屋外，水分の存在といった過酷な使用条件では素材の耐久性にも限界があって一定期間毎に材料の取り替え等のメンテナンスがなされなければならないが、本発明に係る本実施例によればデッキ材２，下地用根太材１の部分的交換あるいは、下地用根太材１にデッキ材２を固定してデッキユニットとした半完成品設置のいずれの施工形態の場合も取付ボルトが可動式という特長を活かして簡単に対応できて、現場の詳細な寸法採りがなされなくても梁材５の架設寸法モデュールを±数センチ  程度のラフな確認をするだけで十分で、工事に際して煩雑な材料手配をすることなく準備ができる。
【００１５】
続いて、図３は本発明を適用した第三実施形態例のべンチを示す図面であり、ベンチやテーブル等の意匠性を重んじるケースの例として示したものであるが、このべンチ脚部には例えば木目模様をもった樹脂製の樹脂カバー６が被覆された下地用根太材１が使われて、この脚部に使用のベンチ脚部５２は図３（ｂ）中のコーナージョイント５１によってデッキ材２を固定するためのベンチ座部５３と直角に連結されて脚フレーム５４が構成されている。
【００１６】
ここで、デッキ材２が固定された下地用根太材１のデッキ材固着面〜外周側面にかけて樹脂製の異形材からなる樹脂カバー６が被覆されて、下地用根太材１のデッキ材固着面と反対面に樹脂カバー６縁部が挿入され止着される係止凹溝７が形成されて、この係止凹溝７を介して樹脂カバー６の係止がなされるように構成され、構造材である下地用根太材１に簡易に樹脂カバー６の着脱が可能であり、必要に応じて外観意匠が要求される用途に好適に使用される。なお、図３（ｃ）においては、下地用根太材１のデッキ材２の固着面に樹脂カバー６が被覆された仕様として示したが、同図（ｂ）中のべンチ脚部５２にのみ樹脂カバー６付きの下地用根太材を用い、デッキ材２が固着されるベンチ座部５３には樹脂カバー６の被覆されない状態の下地用根太材１が用いられれば十分である。
【００１７】
また、このベンチの長手方向の下地棧として架け渡して、各脚フレーム５４を連結する連結フレーム５５は図３（ｃ）に示した如く、デッキ材２が固定された下地用根太材１のデッキ材固着面と反対面の取付溝３に取付ボルト３０の頭部が摺動可能に挿入されて、この取付ボルトにナットを螺入して連結フレーム５５を挟み込んで組み立てがなされる。上述の部品構成により、このベンチは部品単位で準備されていても難しい施工技術を必要とせず簡単に組み立て可能で、よってかさばらずに安価な輸送コストで運搬できて輸送，組立コスト共に低くおさえることができる。
【００１８】
なお、この本発明を適用した第三実施形態例のべンチにおいて樹脂カバー６はデザイン上の化粧カバーとしての機能に着目して被覆されたものであるが、後述の直接的に配設させた下地用根太材に仕上げ用のデッキ材を取り付ける施工形態によるデッキ材の根太構造等床材への展開において、歩行時の振動の軽減という視点から下地用根太材に被覆される樹脂カバー６として高発泡系合成樹脂材料やゴム系材料が適用された場合には、防振性能を具備した床の下地用根太材として床の基本的な性能向上というきわめてきわだった性能が発揮される。
【００１９】
さらにまた、図４の本発明を適用した第四実施形態例は、土間コンクリート等の下地面にボルト径より悄々大きい径および深さの埋込用下地穴８が適宜間隔に設けられ、この埋込用下地穴８の間隔に適合した寸法間隔ピッチで下地用の根太材の取付溝３に取付ボルト３０，ナット３１が係着，突設されたうえ、前記埋込用下地穴８に図４（ｃ）の８０に示す時間硬化タイプ樹脂またはモルタルコンクリートが充填されて、これら充填物が固化前の状態で埋込用下地穴８に前記下地用根太材１に突設された取付ボルト３０が差し込まれて下地用根太材１の設置がなされ、直接的に配設させた下地用根太材１に仕上げ用デッキ材２を取り付ける省力化工法による施工形態によるデッキ材の根太構造を示すものである。
【００２０】
この方法により、土間コンクリート等不陸を有する下地面に対して調節ボルト類の組み込まれた金具等とこれに架設あるいは載置される梁材等の下地棧の枠を組んで調節ボルト類によって高さレベルの調節がなされる従来工法に比較して、個々の取付ボルト毎に高さレベルの調節が不要で、埋込用下地穴８の充填物が固化するまでの間は図４（ｃ）中に示すように補助的に仮支え８１によって下地用根太材１の支持をさせるだけでよく、下地工事の省力化がなされて工事費の大幅な低減がはかられる。
【００２１】
【発明の効果】
本発明においては、以上詳述のように
歩行路、ベランダ、テラス等の仕上床やベンチやテーブル等のスツールに仕上床として用いられる樹脂、木材製等からなるデッキ材を根太材により支持するデッキ材の下地構造において、中空閉断面をなす根太材のデッキ材固着面が平坦面となされるとともに、この根太材のデッキ材固着面と反対面に、取付ボルトの頭部が摺動可能に挿入される取付溝が長さ方向に形成され、前記取付溝は、その溝の深さの中程において相対向する内壁の一部がそれぞれ内方に突設されると共に、その突出した部分より奥側に前記取付ボルトの頭部が挿入される第一の空間部が形成され、又突出した部分より入口側に前記取付ボルトに螺入されるナットが収容される第二の空間部が形成され、第一の空間部に頭部が挿入された取付ボルトに対しナットを螺入させた際に、ナットが第二の空間部に収容されると共に、根太材の長さ方向の任意の位置で取付ボルトの係着が可能となされ、この取付ボルトを介して下地用根太材の設置がなされるもので、下地となる根太材が中空閉断面で曲げに強く構造材として機能し、平坦面となされたデッキ材の固着面ゆえに安定してデッキ材を支持でき、かつ取付溝に摺動可能に取付ボルトが挿入されて下地用根太材の設置がなされるので、このデッキ材を設置しようとする際に梁材等の寸法ピッチに対応して現場で自在に調節して取り付けが可能なため準備が煩雑でなくまた工事も簡単である。
【００２２】
そしてまた本発明においては、上記中空閉断面を有する根太材へのデッキ材の固着面から外周側面にかけて樹脂製異形材によって樹脂カバーが被覆されるとともに、根太材のデッキ材固着面と反対面に樹脂カバーの縁部が挿入されて止着される係止凹溝が形成され、この係止凹溝を介して根太材に前記樹脂カバーの係止がなされた場合には、ベンチやテーブル等のスツールのようにデザインが重視される用途に必要に応じて樹脂カバーを化粧カバーとして付加して使用することができ、また床の性能という観点から歩行振動の軽減を目的として下地用根太材に被覆される樹脂カバーとして高発泡系の合成樹脂材料やゴム系材料を適用して、防振性能を具備した床の下地用根太材として床の基本的な性能向上という極めてきわだった性能が発揮される。
【００２３】
さらにまた本発明においては、土間コンクリート等の下地面にボルトより悄々大きい径および深さの埋込用下地穴が適宜間隔に設けられ、この埋込用下地穴の間隔に適合した間隔ピッチで下地用根太材の取付溝に取付ボルトがナットにより係着されて突設され、それら埋込用下地穴に時間硬化タイプ樹脂またはモルタルコンクリートが充填され、これらの下地穴に前記下地用根太材に係着，突設されたボルトが差し込まれて下地用根太材が設置された場合には、個々のボルト毎に高さレベルの調節が不要で、埋込用下地穴の充填物が固化するまでの間補助的に仮支えを用いて下地用根太材の支持をさせるだけでよく、従来の工法に比較して下地工事の省力化がなされた低コストの工事が可能となる。
【００２４】
【図面の簡単な説明】
【図１】本発明実施の一形態例の置床式デッキ材を示す、（ａ）は斜視図，（ｂ）は側面図，（ｃ）は要部の部分拡大側断面図である。
【図２】本発明実施の他の形態例の八つ橋を示す、（ａ）は斜視図，（ｂ）は側面図，（ｃ）は要部の部分拡大側断面図である。
【図３】本発明実施のさらに他の形態例のべンチを示す、（ａ）は斜視図，（ｂ）は側面図，（ｃ）は要部の部分拡大側断面図である。
【図４】本発明実施の別の形態例を示す土間へのデッキ材下地施工法を表す、（ａ）は斜視図，（ｂ）は施工側面図，（ｃ）は（ｂ）のＡ−Ａにおける要部の部分拡大側断面図である。
【図５】従来の樹脂，木材製デッキ材とその下地の根太材の取付構造を示す、（ａ）は側断面図，（ｂ），（ｃ）は（ａ）のＡ−Ａ，Ｂ−Ｂそれぞれにおける部分拡大の断面図である。
【符号の説明】
１    下地用根太材
１１  デッキ材固着面
１２  デッキ材固着面と反対面
２    デッキ材
２０  置床式デッキ
３    取付溝
３０  取付ボルト
３１  ナット
４    屋根材
５    梁材
５０  コンクリート基礎柱
５１  コーナージョイント
５２  べンチ脚部
５３  ベンチ座部
５４  脚フレーム
５５  連結フレーム
６    樹脂カバー
７    係止凹溝
８    埋込用下地穴
８０  時間硬化タイプ樹脂またはモルタルコンクリート
８１  仮支え
９    木材製根太材
【図１】
0003748722.tif 000002
【図２】
0003748722.tif 000003
【図３】
0003748722.tif 000004
【図４】
0003748722.tif 000005
【図５】
0003748722.tif 000006